(57)【要約】【課題】旅客航空機に搭載する航空機用ラバトリーユニットの提供。【解決手段】サイドパネル５に洗面台ユニット１０，廃棄物収納用コンパートメント１１，ミラー１２，アッパーキャビネット１３及び照明器具１４を配設する。洗面台ユニット１０に廃棄物収納用コンパートメント１１及び照明器具１４の一部を嵌合する嵌合凹部１５，１６を形成する。ミラー１２にアッパーキャビネット１３及び照明器具１４の一部を嵌合する嵌合部１９，２０及び嵌合部２１，２２を形成する。洗面台ユニット１０，廃棄物収納用コンパートメント１１，ミラー１２，アッパーキャビネット１３及び照明器具１４を組み合わせることなく単独でサイドパネル５に取付ける。【選択図】        図２
2004203167.tif 000002
【特許請求の範囲】
【請求項１】
フロントパネルと、リアパネルと、左右一対のサイドパネルと、シーリングパネルと、フロアパネルとで囲撓してラバトリー空間を構成した航空機用ラバトリーユニットにおいて、フロアパネルの上部にリアパネルに臨んでトイレットユニットを配設し、サイドパネルに洗面台ユニットを配設し、サイドパネルの洗面台ユニットの片側にこれと別体の廃棄物収納用コンパートメントを配設し、サイドパネルの洗面台ユニットの上部にミラーを配設し、サイドパネルのミラーの片側にこれと別体のアメニティー収納用のアッパーキャビネットを配設し、サイドパネルの洗面台ユニット及びミラーの反対側にこれと別体の垂直型の照明器具を配設し、洗面台ユニットに廃棄物収納用コンパートメント及び照明器具の一部を嵌合する互いに対称な２つの嵌合凹部をそれぞれ形成し、ミラーにアッパーキャビネット及び照明器具の一部を嵌合する２つの嵌合部をそれぞれ形成したことを特徴とする航空機用ラバトリーユニット。
【発明の詳細な説明】
【０００１】
【発明の属する技術分野】
本発明は、旅客航空機に搭載するラバトリー（化粧室）に最適な航空機用ラバトリーユニットに関するものである。
【０００２】
【従来の技術】
旅客航空機に搭載する航空機用ラバトリーユニットは、ラバトリーユニットが設置される航空機の機体胴体部の空間に対応した箱形の外形状を有しており、ハニカムパネル材で構成されている。
【０００３】
この航空機用ラバトリーユニット１０１は、図４，図５及び図６に示すように、フロントパネル１０２と、リアパネル１０３と、左右一対のサイドパネル１０４，１０５と、シーリングパネル１０６と、フロアパネル１０７とで囲撓してラバトリー（化粧室）空間１０８を構成し、フロアパネル１０７の上部にリアパネル１０３に臨んでトイレット１０９を配設し、サイドパネル１０５に洗面台１１０，ミラー１１１，照明器具１１２等の機器を設置し、洗面台１１０の内部にラバトリーユニット１０１内のラバトリー空間１０８で使用される消費品であるリネン，ペーパーカップ，サニタリー類，吐しゃ物容器，ペーパータオル等のいわゆるアメニティーを収納するためのアメニティー収納部１１３及び廃棄物収納容器（図示せず）を収納するための容器収納部１１４を形成し、洗面台１１０の前面板部分にトイレットロール取付具１１５を設け、洗面台１１０の上面板部分に廃棄物投入口１１６を閉塞する廃棄物用フラップ１１７を開閉自在に設け、洗面台１１０の上部に蛇口１１８を設け、ミラー１１１の下部にティッシュペーパーディスペンサ１１９及びペーパータオルディスペンサ１２０をそれぞれ設けていた。
【０００４】
ところが、従来の航空機用ラバトリーユニットの化粧室は、ラバトリーユニットのサイドパネルの壁面いっぱいに取付ける洗面台，ミラー，照明器具等の機器のコンポーネントを設計製造している。
【０００５】
これは、航空機の機種の違い、航空機のキャビン内のラバトリーユニットの取付け位置の違い、化粧室のシェルの大きさと形状の違いにより、洗面台，ミラー，照明器具等の機器のコンポーネント自身の形状を変更しなければならないため、その都度、設計と製造準備（成形型、治工具、製造手順）が必要となり、費用が繰り返し発生してしまう。
【０００６】
また、洗面台，ミラー，照明器具等の機器のコンポーネントの製品単価は航空機専用の部品であることから、そもそも製品の生産数が少ないにも係わらず、同一製品の生産個数が少なく、製品の個別の設計をしているため、製品単価そのものも高くなってしまっていた。
【０００７】
【発明が解決しようとする課題】
本発明の目的は、上述する問題点に対処して、洗面台ユニット，廃棄物収納用コンパートメント，ミラー，アッパーキャビネット及び照明器具を組み合わせることなく単独でサイドパネルに取付け、洗面台ユニット，廃棄物収納用コンパートメント，ミラー，アッパーキャビネット及び照明器具の設計工数が最小となり、洗面台ユニット，廃棄物収納用コンパートメント，ミラー，アッパーキャビネット及び照明器具のサイドパネルに対する取付けがラバトリーのシェルの大きさや形状の違いに影響されることがなく、製品の量産が行え、製品の価格の低減化を図れ、ラバトリー空間の有効利用を図ることが可能な航空機用ラバトリーユニットを提供するものである。
【０００８】
【課題を解決するための手段】
本発明の航空機用ラバトリーユニットは、フロントパネルと、リアパネルと、左右一対のサイドパネルと、シーリングパネルと、フロアパネルとで囲撓してラバトリー空間を構成した航空機用ラバトリーユニットにおいて、フロアパネルの上部にリアパネルに臨んでトイレットユニットを配設し、サイドパネルに洗面台ユニットを配設し、サイドパネルの洗面台ユニットの片側にこれと別体の廃棄物収納用コンパートメントを配設し、サイドパネルの洗面台ユニットの上部にミラーを配設し、サイドパネルのミラーの片側にこれと別体のアメニティー収納用のアッパーキャビネットを配設し、サイドパネルの洗面台ユニット及びミラーの反対側にこれと別体の垂直型の照明器具を配設し、洗面台ユニットに廃棄物収納用コンパートメント及び照明器具の一部を嵌合する互いに対称な２つの嵌合凹部をそれぞれ形成し、ミラーにアッパーキャビネット及び照明器具の一部を嵌合する２つの嵌合部をそれぞれ形成したことを特徴とする構成を有するものである。
【０００９】
【発明の実施の形態】
以下、本発明の実施の形態を図面に基づいて詳細に説明する。
図１は本発明の実施の形態における航空機用ラバトリーユニットを示す要部正面図、図２は本発明の航空機用ラバトリーユニットの要部側面図、図３は本発明の航空機用ラバトリーユニットの要部平面図である。
本発明の航空機用ラバトリーユニット１は、図１，図２及び図３に示すように、フロントパネル２と、リアパネル３と、左右一対のサイドパネル４，５と、シーリングパネル６と、フロアパネル７とで囲撓してラバトリー空間８が構成されている。
【００１０】
フロアパネル７の上部には、図１，図２及び図３に示すように、リアパネル３に臨んでトイレットユニット９が配設されると共に、右側のサイドパネル５には洗面台ユニット１０が配設され、サイドパネル５の洗面台ユニット１０の片側にはこれと別体の垂直な廃棄物収納用コンパートメント１１が配設され、サイドパネル５の洗面台ユニット１０の上部にはミラー１２が配設され、サイドパネル５のミラー１２の片側にはこれと別体のティッシュペーパー，ペーパータオル等のアメニティーを収納するための垂直なアメニティー収納用のアッパーキャビネット１３が配設され、サイドパネル５の洗面台ユニット１０及びミラー１２の反対側にはこれと別体の垂直型の照明器具１４が配設されている。
【００１１】
洗面台ユニット１０には、図２及び図３に示すように、廃棄物収納用コンパートメント１１及び照明器具１４の一部を嵌合する互いに対称な２つの嵌合凹部１５，１６がそれぞれ形成されている。
【００１２】
ミラー１２の上縁及び下縁には、図１及び図２に示すように、ラバトリー空間８に向って張出した上側水平板１７及び下側水平板１８がそれぞれ設けられ、ミラー１２の上側水平板１７及び下側水平板１８にはアッパーキャビネット１３及び照明器具１４の一部を嵌合する２つの嵌合部１９，２０及び嵌合部２１，２２がそれぞれ形成されている。
【００１３】
航空機用ラバトリーユニット１は、図１，図２及び図３に示すように、旅客航空機の通路に面するフロントパネル２、フロントパネル２に対向するリアパネル３、フロントパネル２とリアパネル３とを接続する左右のサイドパネル４，５からなり、フロントパネル２，リアパネル３及びサイドパネル４，５をシーリングパネル６及びフロアパネル７で接続して箱形となっている。
【００１４】
航空機用ラバトリーユニット１の外形を構成するフロントパネル２、リアパネル３、サイドパネル４，５、シーリングパネル６及びフロアパネル７としては強化プラスチック材料からなるハニカムサンドイッチパネル等が利用される。
【００１５】
航空機用ラバトリーユニット１のフロントパネル２には、図２及び図３に示すように、ラバトリー使用者の出入りのための出入用開口部２３が形成されている。
【００１６】
フロントパネル２の出入用開口部２３には、図２及び図３に示すように、これを閉塞するための出入用ドア２４が開閉自在に配設され、出入用ドア２４の一側縁がフロントパネル２に蝶番（図示せず）を介して回動自在に枢支されている。
【００１７】
トイレットユニット９の上部には、図１，図２及び図３に示すように、シートカバーを収納するシートカバー収納用キャビネット２５が配設され、シートカバー収納用キャビネット２５にはシートカバーディスペンサ２６が設けられている。
【００１８】
洗面台ユニット１０の上部には、図１及び図３に示すように、水または温水を給水するための蛇口２７が設けられ、洗面台ユニット１０の内部にはラバトリーユニット１内のラバトリー空間８で使用する消費品であるリネン，ペーパーカップ，サニタリー類，吐しゃ物容器，ペーパータオル等のいわゆるアメニティーを収納するためのアメニティー収納部２８が形成され、洗面台ユニット１０には前面扉２９が開閉自在に設けられ、洗面台ユニット１０の前面扉２９にはトイレットロール取付具３０が設けられている。
【００１９】
廃棄物収納用コンパートメント１１の内部には、図２に示すように、廃棄物収納容器（図示せず）を収納するための容器収納部３１が形成され、廃棄物収納用コンパートメント１１には収納部用扉３２が開閉自在に設けられ、廃棄物収納用コンパートメント１１の上面板部分には、図３に示すように、廃棄物投入口３３を閉塞する廃棄物用フラップ３４が開閉自在に設けられている。
【００２０】
アッパーキャビネット１３には、図２に示すように、ティッシュペーパーディスペンサ３５及びペーパータオルディスペンサ３６がそれぞれ設けられている。
【００２１】
洗面台ユニット１０の片側には、図２及び図３に示すように、廃棄物収納用コンパートメント１１が配置され、洗面台ユニット１０の嵌合凹部１５には廃棄物収納用コンパートメント１１の上端から下端までの一部が嵌合されている。
【００２２】
洗面台ユニット１０の反対側には、図２及び図３に示すように、照明器具１４が配置され、洗面台ユニット１０の嵌合凹部１６には照明器具１４の長手方向中央付近から下端までの一部が嵌合されている。
【００２３】
ミラー１２の片側には、図２に示すように、アッパーキャビネット１３が配置され、ミラー１２の上側水平板１７の嵌合部１９及び下側水平板１８の嵌合部２１にはアッパーキャビネット１３の上端部及び下端部の一部がそれぞれ嵌合されている。
【００２４】
ミラー１２の反対側には、図２に示すように、照明器具１４が配置され、ミラー１２の上側水平板１７の嵌合部２０及び下側水平板１８の嵌合部２２には照明器具１４の上端部及び長手方向中央付近の一部がそれぞれ嵌合されている。
【００２５】
【発明の効果】
以上に述べたように、本発明の航空機用ラバトリーユニットによれば、洗面台ユニット，廃棄物収納用コンパートメント，ミラー，アメニティー収納用のアッパーキャビネット及び照明器具が別体であるので、洗面台ユニット，廃棄物収納用コンパートメント，ミラー，アッパーキャビネット及び照明器具を組み合わせることなく単独でサイドパネルに取付けることができ、洗面台ユニット，廃棄物収納用コンパートメント，ミラー，アッパーキャビネット及び照明器具の設計工数が最小となり、洗面台ユニットの嵌合凹部が廃棄物収納用コンパートメント及び照明器具の一部を嵌合し、ミラーの嵌合部がアッパーキャビネット及び照明器具の一部を嵌合するので、洗面台ユニット，廃棄物収納用コンパートメント，ミラー，アッパーキャビネット及び照明器具のサイドパネルに対する取付けがラバトリーのシェルの大きさや形状の違いに影響されることがなく、航空機の機種，ラバトリーのシェル大きさや形状が異なっても洗面台ユニット，廃棄物収納用コンパートメント，ミラー，アッパーキャビネット及び照明器具を使用することができるので、製品の量産が行え、製品の価格の低減化を図ることができ、洗面台ユニット，廃棄物収納用コンパートメント，ミラー，アッパーキャビネット及び照明器具をサイドパネルの壁面いっぱいに取付ける必要がないので、ラバトリー空間の有効利用を図ることができる。
【図面の簡単な説明】
【図１】本発明の実施の形態における航空機用ラバトリーユニットを示す要部正面図。
【図２】本発明の航空機用ラバトリーユニットの要部側面図。
【図３】本発明の航空機用ラバトリーユニットの要部平面図。
【図４】従来の航空機用ラバトリーユニットを示す要部正面図。
【図５】従来の航空機用ラバトリーユニットの要部側面図。
【図６】従来の航空機用ラバトリーユニットの要部平面図。
【符号の説明】
１  航空機用ラバトリーユニット
２  フロントパネル
３  リアパネル
４  サイドパネル
５  サイドパネル
６  シーリングパネル
７  フロアパネル
８  ラバトリー空間
９  トイレットユニット
１０  洗面台ユニット
１１  廃棄物収納用コンパートメント
１２  ミラー
１３  アッパーキャビネット
１４  照明器具
１５  嵌合凹部
１６  嵌合凹部
１７  上側水平板
１８  下側水平板
１９  嵌合部
２０  嵌合部
２１  嵌合部
２２  嵌合部
２３  出入用開口部
２４  出入用ドア
２５  シートカバー収納用キャビネット
２６  シートカバーディスペンサ
２７  蛇口
２８  アメニティー収納部
２９  前面扉
３０  トイレットロール取付具
３１  容器収納部
３２  収納部用扉
３３  廃棄物投入口
３４  廃棄物用フラップ
３５  ティッシュペーパーディスペンサ
３６  ペーパータオルディスペンサ
１０１  航空機用ラバトリーユニット
１０２  フロントパネル
１０３  リアパネル
１０４  サイドパネル
１０５  サイドパネル
１０６  シーリングパネル
１０７  フロアパネル
１０８  ラバトリー空間
１０９  トイレット
１１０  洗面台
１１１  ミラー
１１２  照明器具
１１３  アメニティー収納部
１１４  容器収納部
１１５  トイレットロール取付具
１１６  廃棄物投入口
１１７  廃棄物用フラップ
１１８  蛇口
１１９  ティッシュペーパーディスペンサ
１２０  ペーパータオルディスペンサ
【図１】
2004203167.tif 000003
【図２】
2004203167.tif 000004
【図３】
2004203167.tif 000005
【図４】
2004203167.tif 000006
【図５】
2004203167.tif 000007
【図６】
2004203167.tif 000008